(57)【要約】【課題】  鏡胴を沈胴させて携帯性を持たせると共に、沈胴をさせるまでもない場合には、沈胴をさせずに待機状態におき、待機状態から撮影可能状態までの時間を削減し、併せて消費電力の削減を図る。【解決手段】  電源釦１２がスイッチＯＮの状態からスイッチＯＦＦの状態にされても、鏡胴状態選択スイッチ１１により、予め「電源ＯＦＦ時待機状態」が選択されているならば、鏡胴１４は突出されたままの待機状態となり、カメラ本体１の電源が切断される。また、予め「  電源釦１２がスイッチＯＮの状態からスイッチＯＦＦ の状態にされても、鏡胴状態選択スイッチ１１により、予め「電源ＯＦＦ 時収納状態」が選択されているならば、鏡胴１４は鏡胴収納部１４に収納されてカメラ本体の電源が切断される。その後、電源釦１２がスイッチＯＦＦの状態から再びスイッチＯＮにされた場合には、鏡胴１４は撮影待機状態にされる。【選択図】      図１
2005091803.tif 000002
【特許請求の範囲】
【請求項１】
鏡胴の収納状態では前記鏡胴の前面が周囲の外装カバーの前面と略同一面となるように前記鏡胴が収納され、撮影可能な撮影待機状態では前記鏡胴が前記外装カバーの前面より突出するカメラにおいて、
カメラ電源がＯＦＦにされた時に前記鏡胴を前記収納状態にするか、若しくは前記撮影待機状態の位置に維持せしめるかのいずれか１つを選択せしめる鏡胴状態選択手段と、
前記鏡胴状態選択手段により、前記鏡胴を前記収納状態にすることが選択されている場合には前記カメラ電源がＯＦＦにされた時に前記鏡胴を前記収納状態とし、前記鏡胴を前記撮影待機状態の位置に維持せしめることが選択されている場合には前記カメラ電源がＯＦＦにされた時に前記鏡胴を前記撮影待機状態の位置に維持せしめるように制御する制御手段と、
を備えたことを特徴とするカメラ。
【請求項２】
鏡胴の収納状態では前記鏡胴の前面が周囲の外装カバーの前面と略同一面となるように前記鏡胴が収納され、撮影可能な撮影待機状態では前記鏡胴が前記外装カバーの前面より突出するカメラにおいて、
カメラ用防水ケースが装着されたことを検知する防水ケース装着検知手段と、
前記防水ケース装着検出手段により、前記カメラ用防水ケースが装着されたことが検知されている場合には前記カメラ電源がＯＦＦにされた時に前記鏡胴を前記撮影待機状態の位置に維持せしめるように制御する制御手段と、
を備えたことを特徴とするカメラ。
【請求項３】
請求項１記載のカメラを着脱自在に収納可能にしたカメラ用防水ケースであって、前記鏡胴状態選択手段による選択を、防水ケースの外側からの操作により行うことができる手段を備えたことを特徴とするカメラ用防水ケース。
【請求項４】
請求項２記載のカメラを着脱自在に収納可能にしたカメラ用防水ケースであって、前記カメラが収納された時に前記防水ケース装着検知手段に前記カメラ用防水ケースが装着されたことを検知せしめる手段を備えたことを特徴とするカメラ用防水ケース。
【発明の詳細な説明】
【技術分野】
【０００１】
本発明は、カメラ及びカメラ用防水ケースに係り、特に、ハンドバッグやポケットに入れて携行可能なコンパクトカメラの鏡胴駆動に要する電源電池の節約を可能にしたカメラ及びカメラ用防水ケースに関する。
【背景技術】
【０００２】
従来のコンパクトカメラの中には、撮影レンズを内部に保持する鏡胴（あるいは鏡筒）をカメラ本体内に収納し得るように構成された、いわゆる沈胴式カメラが存在する。
また、撮影に使用される場合には、この鏡胴がカメラ本体から突出（繰出）された状態に維持される。撮影が終了してカメラを携行する際には、利便性を向上させるために、再び鏡胴をカメラ本体に収納している。
従来のカメラの場合、このようなカメラ本体の鏡胴の撮影待機位置への突出は、カメラの電源をＯＮにした時に自動的に行われ、これとは逆に、カメラ本体への鏡胴の収納は、カメラの電源をＯＦＦにした時に自動的に行われる方式のものが主流となっている。このような沈胴式のコンパクトカメラでは、カメラ本体の電源スイッチがＯＮにされて、鏡胴がカメラ本体から突出された状態のみを撮影待機状態としている。即ち、鏡胴をカメラ本体に収納した状態では光学的に撮影が不可能な状態であり、また、この状態では、カメラ本体の電源スイッチをＯＮとするだけでは撮影をすることができない。
一方、従来のカメラには、水中撮影を可能にしたり、防水性、防塵性を高めたりするために、カメラ本体に装着可能な防水ケースが用意されているものも存在する。
【０００３】
このような防水ケースでは、外部との気密性を高めるために防水ケースの接合部や操作部材まわりの密着性を高める手段や、カメラ本体に配された各種スイッチ類を防水ケースの外部から操作可能にするための手段が考慮されている（例えば、特許文献１参照）。
また、カメラ本体から進退するズームレンズ鏡胴に被せて防水、防滴を図る防水用レンズカバーも提案されている（例えば特許文献２参照）。このような防水ズームレンズカメラによれば、防水用レンズカバーが進退動する撮影レンズ鏡胴に被せられてカメラボディに装着されるので、撮影レンズ鏡胴が進退動しても、防水用レンズカバーとカメラボディで構成される密閉空間内の総容積が変わらないので、撮影レンズ鏡胴の進退動を自由に行うことができる。
【０００４】
【特許文献１】「特許第２７７９６２５号公報」
【特許文献２】「実用新案登録第２５３７５６１号公報」
【発明の開示】
【発明が解決しようとする課題】
【０００５】
ところで、上記背景技術で述べた従来のカメラにあっては、前述のとおり、カメラの電源をＯＮにすることにより、鏡胴がカメラ本体から繰り出されて撮影可能状態（撮影待機状態）となり、これとは逆に、カメラの電源をＯＦＦにすることにより、鏡胴がカメラ本体に収納されて、撮影はできなくなるが携行に便利な状態となる。しかしながら、鏡胴ユニットの駆動、即ち、鏡胴の収納状態から撮影待機状態への移行、また、これとは逆に、撮影待機状態から収納状態への移行のためには、大量の電力が消費されるので、電源電池の消耗速度が速くなり、そのため、電池交換の回数が多くなって、維持コストが掛かると共に、撮影可能な枚数が少なくなってしまうという問題点があった。
また、電源ＯＦＦの状態（鏡胴の収納状態）から、電源をＯＮにすることによって、鏡胴を撮影待機位置まで突出させて撮影が可能な状態まで移行せしめるには、所要時間が掛かり過ぎて使用者の意図に沿わず、場合によっては、シャッターチャンスを逃がすことがあるといった問題点があった。
さらに、この問題点を解消するために、鏡胴をカメラ本体から突出させたままにして、常に撮影が可能な状態を維持すると、カメラの電源が常にＯＮとなったままであるので、やはり、電源電池の消耗速度が速くなり、そのため、電池交換の回数が多くなって、維持コストが掛かると共に、撮影可能な枚数が少なくなってしまうという問題点が生じる。
【０００６】
なお、前述の問題点は、防水ケースをカメラ本体に装着する場合には一層顕著となる。即ち、一般に、カメラ用防水ケースの形状は、カメラ用防水ケースを装着した状態であらゆるモードの撮影が可能な形状となっていることが好ましい。よって、例えば、前述の特許文献２に開示されているように、鏡胴を、防水ケース内でカメラ本体から進退させることが可能なカメラ用防水ケースを使用する場合には、カメラの携行に対する利便性のために、鏡胴を収納位置に沈胴させる必要性はなくなる。つまり、電源ＯＦＦ時に、逐一、収納させることは無意味であるばかりでなく、電池の無駄な消耗を来たすという点で、改善の余地がある。
つまり、従来のカメラで撮影が直ちに可能な状態を維持するためには、常に鏡胴をカメラ本体から待機位置まで突出させておくことが必要となり、そのためには、常にカメラ本体の電源をＯＮにしたままにしておく必要があった。その結果、やはり、電源電池の消耗速度が速くなり、そのため、電池交換の回数が多くなって、維持コストが掛かると共に、撮影可能な枚数が少なくなってしまうという問題点が生じていた。
【０００７】
本発明は、上記従来の問題点に鑑みてなされたもので、カメラを携行する場合には、鏡胴を収納状態として利便性を向上でき、また、鏡胴を収納するまでもない場合には、電源をＯＦＦしても鏡胴が収納せずに撮影待機位置を維持可能とし、待機状態から撮影可能状態までの時間を削減し、併せて、消費電力を極力削減し得るカメラを提供することにある。
また、雨中や砂、埃の多い環境下で防水ケースを使用する場合には、防水ケース内で鏡胴を収納させることは無意味であることから、電源をＯＦＦとしても鏡胴を収納させないようにして、消費電力の節減と、利便性を向上させ得るカメラを提供することにある。
また、カメラを収容させた状態において、外部より、カメラの撮影機能の少なくとも一部を操作可能として、上記利便性を発揮させ得るカメラ用防水ケースを提供することにある。
さらにまた、カメラを収納させた状態において、上記カメラと協働して電源をＯＦＦとしても鏡胴を収納させないようにカメラに作用させ得るカメラ用防水ケースを提供することにある。
【課題を解決するための手段】
【０００８】
上記課題を解決するために、請求項１記載の本発明に係るカメラは、鏡胴の収納状態では前記鏡胴の前面が周囲の外装カバーの前面と略同一面となるように前記鏡胴が収納され、撮影可能な撮影待機状態では前記鏡胴が前記外装カバーの前面より突出するカメラにおいて、カメラ電源がＯＦＦにされた時に前記鏡胴を前記収納状態にするか、若しくは前記撮影待機状態の位置に維持せしめるかのいずれか１つを選択せしめる鏡胴状態選択手段と、前記鏡胴状態選択手段により、前記鏡胴を前記収納状態にすることが選択されている場合には前記カメラ電源がＯＦＦにされた時に前記鏡胴を前記収納状態とし、前記鏡胴を前記撮影待機状態の位置に維持せしめることが選択されている場合には前記カメラ電源がＯＦＦにされた時に前記鏡胴を前記撮影待機状態の位置に維持せしめるように制御する制御手段とを備えたことを特徴とする。
このように構成することにより、前記鏡胴状態選択手段で前記鏡胴を前記撮影待機状態の位置に維持せしめることを選択すれば、カメラの電源がＯＦＦにされた場合にも、鏡胴をカメラ本体から突出させたままにして撮影が可能な状態を維持することができるので、シャッターチャンスを逃すことなく、しかもカメラの電源電池の消耗を節減して電池交換の回数を減らすことができ、併せて、鏡胴状態選択手段で、鏡胴を収納状態にすることを選択すれば、カメラ電源がＯＦＦにされた場合には、鏡胴を収納させることができるので、携行性を重視したカメラを提供することができる。
【０００９】
また、請求項２記載の本発明に係るカメラは、鏡胴の収納状態では前記鏡胴の前面が周囲の外装カバーの前面と略同一面となるように前記鏡胴が収納され、撮影可能な撮影待機状態では前記鏡胴が前記外装カバーの前面より突出するカメラにおいて、カメラ用防水ケースが装着されたことを検知する防水ケース装着検知手段と、前記防水ケース装着検出手段により、前記カメラ用防水ケースが装着されたことが検知されている場合には前記カメラ電源がＯＦＦにされた時に前記鏡胴を前記撮影待機状態の位置に維持せしめるように制御する制御手段とを備えたことを特徴とする。
このように構成することにより、前記カメラ用防水ケースを装着することにより、前記カメラ電源がＯＦＦにされた時には、前記鏡胴を自動的に前記撮影待機状態の位置に維持せしめることができるので、カメラ用防水ケースを装着した場合においても、自動的に、シャッターチャンスを逃すことなく、しかもカメラの電源電池の消耗を節減することができるカメラを提供することができる。
【００１０】
さらに、請求項３記載の本発明に係るカメラ用防水ケースは、請求項１記載のカメラを着脱自在に収納可能にしたカメラ用防水ケースであって、前記鏡胴状態選択手段による選択を、防水ケースの外側からの操作により行うことができる手段を備えたことを特徴とする。
このように構成することにより、請求項１記載のカメラに該カメラ用防水ケースを装着した場合でも、前記鏡胴状態選択手段を操作することが可能となるので、該カメラ用防水ケースを装着した場合においても前述の請求項１記載のカメラの効果を活かすことができるカメラ用防水ケースを提供することができる。
また、請求項４記載の本発明に係るカメラ用防水ケースは、請求項１記載のカメラを着脱自在に収納可能にしたカメラ用防水ケースであって、前記カメラが収納された時に前記防水ケース装着検知手段に前記カメラ用防水ケースが装着されたことを検知せしめる手段を備えたことを特徴とする。
このように構成することにより、請求項２記載のカメラの前記防水ケース装着検知手段に該カメラ用防水ケースが装着されたことを自動的に検知せしめ、これにより、前記カメラ電源がＯＦＦにされた時に、前記鏡胴を前記撮影待機状態の位置に維持せしめることができるので、該カメラ用防水ケースを装着した場合においても自動的に前述の請求項２記載のカメラの効果を活かすことができるカメラ用防水ケースを提供することができる。
【発明の効果】
【００１１】
以上説明したように、本発明の請求項１記載のカメラによれば、鏡胴の収納状態では前記鏡胴の前面が周囲の外装カバーの前面と略同一面となるように前記鏡胴が収納され、撮影可能な撮影待機状態では前記鏡胴が前記外装カバーの前面より突出するカメラにおいて、カメラ電源がＯＦＦにされた時に前記鏡胴を前記収納状態にするか、若しくは前記撮影待機状態の位置に維持せしめるかのいずれか１つを選択することが可能に構成され、前記鏡胴を前記収納状態にすることを選択した場合には前記カメラ電源がＯＦＦにされた時に前記鏡胴を前記収納状態とし、前記鏡胴を前記撮影待機状態の位置に維持せしめることを選択した場合には前記カメラ電源がＯＦＦ にされた時に前記鏡胴を前記撮影待機状態の位置に維持せしめるように制御するので、前記鏡胴状態選択手段で前記鏡胴を前記撮影待機状態の位置に維持せしめることを選択すれば、カメラの電源がＯＦＦにされた場合にも、鏡胴をカメラ本体から突出させたままにして撮影が可能な状態を維持することが可能となり、これにより、シャッターチャンスを逃すことなく、しかもカメラの電源電池の消耗を節減して電池交換の回数を減らすことができるカメラを提供することができ、併せて、鏡胴状態選択手段で、鏡胴を収納状態にすることを選択すれば、カメラ電源がＯＦＦされた場合には、鏡胴を収納させることができるので、携行性を重視したカメラを提供することができる。
【００１２】
また、本発明の請求項２記載のカメラによれば、鏡胴の収納状態では前記鏡胴の前面が周囲の外装カバーの前面と略同一面となるように前記鏡胴が収納され、撮影可能な撮影待機状態では前記鏡胴が前記外装カバーの前面より突出するカメラにおいて、カメラ用防水ケースが装着されたことを検知することを可能にする構成とし、前記カメラ用防水ケースが装着されたことが検知されている場合には前記カメラ電源がＯＦＦにされた時に前記鏡胴を前記撮影待機状態の位置に維持せしめるように制御するので、前記カメラ用防水ケースを装着することにより、前記カメラ電源がＯＦＦにされた時には、前記鏡胴を自動的に前記撮影待機状態の位置に維持せしめることが可能となり、これにより、カメラ用防水ケースを装着した場合においても、自動的に、シャッターチャンスを逃すことなく、しかもカメラの電源電池の消耗を節減することができるカメラを提供することができる。
【００１３】
さらに、本発明の請求項３記載のカメラ用防水ケースによれば、請求項１記載のカメラを着脱自在に収納可能にしたカメラ用防水ケースであって、前記カメラの鏡胴状態の選択を、防水ケースの外側からの操作により行うことができる構成としたので、請求項１記載のカメラに該カメラ用防水ケースを装着した場合でも、前記鏡胴状態を選択することで、前述の請求項１記載のカメラの効果を活かすことができるカメラ用防水ケースを提供することができる。
また、本発明の請求項４記載のカメラ用防水ケースによれば、請求項２記載のカメラを着脱自在に収納可能にしたカメラ用防水ケースであって、前記カメラが収納された時に前記防水ケース装着検知手段に前記カメラ用防水ケースが装着されたことを検知せしめる構成としたので、請求項２記載のカメラに該カメラ用防水ケースが装着されたことを自動的に検知せしめ、これにより、前記カメラ電源がＯＦＦにされた時に、前記鏡胴を前記撮影待機状態の位置に維持せしめることができるので、該カメラ用防水ケースを装着した場合においても自動的に前述の請求項２記載のカメラの効果を活かすことができるカメラ用防水ケースを提供することができる。
【発明を実施するための最良の形態】
【００１４】
以下、本発明の最良の実施形態について、〔第１の実施形態〕〜〔第３の実施形態〕の順に図面を参照して詳細に説明する。
〔第１の実施形態〕
図１は、本発明の第１の実施形態に係るカメラの背面構成を示す斜視図である。
同図において、本実施形態のカメラは、カメラ本体１を備え、カメラ本体１には、鏡胴の状態を選択するための鏡胴状態選択スイッチ１１（請求項１記載の鏡胴状態選択手段）と、カメラ本体１の電源をＯＮ/ＯＦＦするためのスイッチである電源釦１２とを備える。
この第１の実施形態では、鏡胴状態選択スイッチ１１をスライド式のスイッチとしているが、例えば、押す毎に二つの選択を繰り返す形式のもの、あるいは、例えば、トッグルスイッチでも構成可能である。
カメラ本体１の上面には、シャッタレリーズ釦１５が配設されており、第１押下段階では、一般に測光、測距、合焦の動作等が起動され、第２押下段階では、シャッタの開口動作が起動されるようになっている。
【００１５】
さらに、本実施形態では鏡胴状態選択スイッチ１１と電源釦１２とをカメラ本体の背面に設置しているが、鏡胴状態選択スイッチ１１と電源釦１２とが、それぞれカメラ本体の任意の位置に設置されてもよい。
なお、カメラ本体１には、この他にも、多くの機器類やスイッチ類が配されるが、ここでは図示およびその説明を省略する。
図２（ａ）は、本発明の第１の実施形態に係るカメラの正面外観構成を示す斜視図である。
図２（ａ）は、鏡胴１４が鏡胴収納部１３に完全に収納された状態、また、図２（ｂ）は、鏡胴１４が鏡胴収納部１３から完全に突出された撮影待機状態を、それぞれ示す。さらに、図２（ｃ）は、カメラの裏蓋が開かれた状態を示す。
以下、本実施形態のカメラが有する各構成要素の機能について説明する。
図１に示す電源釦１２は、カメラ本体１に供給される電源をＯＮ/ＯＦＦする機能を有する。
【００１６】
鏡胴状態選択スイッチ１１は、カメラ本体１の電源釦１２がスイッチＯＮの状態において鏡胴を駆動すべきか否かを決定する。即ち、電源釦１２がスイッチＯＮの状態からスイッチＯＦＦの状態にされた場合でも、鏡胴状態選択スイッチ１１により、予め「電源ＯＦＦ時待機状態」が選択されているならば、鏡胴１４は突出（繰出）されたままの状態（即ち、待機状態であり、撮影待機状態の位置が維持された状態）に据え置かれて、カメラ本体１の電源が切断される（この状態は、図２（ｂ）に示される）。
この撮影待機状態において、その後、電源釦１２がスイッチＯＦＦの状態から再びスイッチＯＮにされた場合には、鏡胴１４は、前述の待機状態から撮影待機状態にされる。
また、電源釦１２がスイッチＯＮの状態からスイッチＯＦＦ の状態にされた場合でも、鏡胴状態選択スイッチ１１により、予め「電源ＯＦＦ時収納状態」が選択されているならば、鏡胴１４は鏡胴収納部１４に収納されて（即ち、撮影待機状態から収納状態になる）、カメラ本体の電源が切断される（この状態は、図２（ａ）に示される）。
【００１７】
この鏡胴１４の収納状態において、その後、電源釦１２がスイッチＯＦＦ の状態から再びスイッチＯＮにされた場合には、鏡胴１４は前述の収納状態から撮影待機状態にされる。いずれの場合も、電源釦１２がスイッチＯＮ状態において、シャッタレリーズ釦１５が、第１段階および第２段階まで押下されると、図示省略の露出制御機構、焦点調節機構等が作動して、適正な露出で、ピントの合った露出が行われるようになっている。
このような制御は、全て、カメラ本体１内部の図示しないマイクロコンピュータにより実行される。
図３は、本発明の第１の実施形態に係るカメラの動作を示すフローチャートである。
以下、図１、２を参照しながら、図３に示すフローチャートを使用して、本実施形態に係るカメラの動作を説明する。
なお、このような制御は、前述のとおり、全て、カメラ本体１内部の図示しないマイクロコンピュータにより実行される。
【００１８】
まず、撮影者は、電源釦１２をスイッチＯＮの状態からスイッチＯＦＦの状態にする（ステップＳ１）。
これにより、鏡胴状態選択スイッチ１１により予め選択されていた鏡胴状態がどのようであったかが検証される（ステップＳ２）。鏡胴状態選択スイッチ１１により、予め「電源ＯＦＦ時待機状態」が選択されていたならば、ステップＳ３に移り、また、鏡胴状態選択スイッチ１１により、予め「電源ＯＦＦ時収納状態」が選択されていたならば、ステップＳ７に移る。
ステップＳ３では、鏡胴１４を作動させずに電源をＯＦＦ にする。
次に、撮影者は、電源釦１２をスイッチＯＦＦの状態からスイッチＯＮの状態にする（ステップＳ４）。
これにより、鏡胴１４を待機状態から撮影待機状態にして停止せしめる（ステップＳ５）。
【００１９】
その後の処理は、ステップＳ６にケース分けして示すように、撮影者が電源釦の操作を行う場合と、他の操作を行う場合に分かれる。撮影者が電源釦操作を行う場合の処理は、再びステップＳ１からの処理となる。また、撮影者が他の操作、例えば、撮影動作を行う場合は、上述したようにシャッタレリーズ釦１５が押下操作され、測光動作、測距動作、合焦動作、シャッタ開閉動作等一連の動作が行われ（ステップ１０）、ステップＳ６に戻る。ステップＳ３において、鏡胴状態選択スイッチ１１が「電源ＯＦＦ時収納状態」に選択された場合には、ステップＳ７に分岐する。
ステップＳ７では、鏡胴１４を待機状態から収納状態にして、カメラ本体１の電源を切断する。
次に、撮影者が、電源釦１２をスイッチＯＦＦ の状態からスイッチＯＮの状態にする（ステップＳ８）と鏡胴１４は収納状態から撮影待機状態にして停止される（ステップＳ９）。
その後の処理は、ステップＳ６にケース分けして示された処理と同じである。
【００２０】
〔第２の実施形態〕
図４、５、６は、本発明の第２の実施形態に係るカメラとカメラ用防水ケースの外観構成を示す斜視図である。
図４は、この第２の実施形態のカメラ用ケースの背面より見た状態であり、カメラが防水ケースに収容された状態が分るように防水ケースの裏蓋を開けた状態を示しており、図５はカメラの正面構成とそのカメラが収容される前の状態のカメラ用ケースを示しており、図６は、カメラが収容された防水ケースの外観を示している。
図４、５、６に示すように、第２の本実施形態のカメラは、第２の実施形態のカメラ用防水ケースである防水ケース２に収容することができる。
本実施形態のカメラは、第１の実施形態に示すカメラに、防水ケース２の装着検出手段が付加されたものである。従って、この点を除いて、第１の実施形態に示すカメラと同じ構成である。
【００２１】
防水ケース２には、図５に示すように、防水ケース装着検出用凸部２１が設置されている。一方、図５に示すカメラ本体１前面の防水ケース装着検出用釦２３（請求項２記載の防水ケース装着検知手段）は、防水ケース２側に設置された前記防水ケース装着検出用凸部２１に対応する位置に設置される。
また、防水ケース２には、カメラ本体１の電源釦１２（図４）が操作できるように、この電源釦１２に対応する位置に、電源釦（防水ケース側）２２が設置されている。
また、防水ケース２には、カメラ本体１のシャッタレリーズ釦１５に対応する位置に、シャッタレリーズ釦（防水ケース側）２４が配置されている。
尚、この第２の実施形態に係る防水ケース２には、カメラ本体１側に設けられている鏡胴状態選択スイッチ１１を選択操作するスイッチは設けられていない。
本実施形態では、前記の装着検出手段を、図５に示すカメラ本体１前面に設置された防水ケース装着検出用釦２３によって実現しているが、一般に、他の手段も可能である。
以下、本実施形態のカメラが有する各構成要素の機能について説明する。
【００２２】
まず、防水ケース２が装着されていない場合の動作について説明する。
防水ケース２が装着されていない（換言すれば、防水ケース２に収容されていない）場合の動作は、第１の実施の形態に係るカメラの動作と同じである。
次に、防水ケース２が装着された場合の動作を説明する。
防水ケース２の蓋を開き、カメラ本体１を防水ケース２に収納した後、防水ケース２の蓋を閉じることにより、カメラ本体１に防水ケース２が装着される。換言すれば、防水ケース２にカメラ本体１が収容される。
カメラ本体１に防水ケース２が装着されると、防水ケース２側に設置された防水ケース装着検出用凸部２１がカメラ本体１前面の装着検出手段としての防水ケース装着検出用釦２３を押動する。これにより、カメラ本体１に内蔵のコンピュータは、防水ケース２が装着されたことを検知することができる。
これにより、電源釦１２が防水ケース２側の電源釦２２によってスイッチＯＮの状態からスイッチＯＦＦの状態にされても、鏡胴１４は突出されたまま（即ち、待機状態のまま）に据え置かれて、カメラ本体１の電源が切断される。
【００２３】
この撮影待機状態において、その後、電源釦２２を介して電源釦１２がスイッチＯＦＦの状態から再びスイッチＯＮにされた場合には、鏡胴１４は、前述の待機状態から撮影待機状態にされる。
この状態で、撮影者が、例えば、水中に潜り所望の被写体に向けて、シャッタレリーズ釦２４を押圧操作するだけで、直ちに水中撮影をすることができる。
撮影終了後、電源釦２２をＯＦＦ操作すれば、鏡胴１４は、その待機位置に止まった状態で電源供給が停止される。
図７は、本発明の第２の実施形態に係るカメラの動作を示すフローチャートである。
以下、図４、５、６を参照しながら、図７に示すフローチャートを使用して、本実施形態に係るカメラの動作を説明する。
まず、撮影者は、電源釦１２をスイッチＯＮの状態からスイッチＯＦＦの状態にする（ステップＡ１）。
【００２４】
これにより、防水ケース２が装着されているか否か（即ち、防水ケース装着検出用釦２３が押下されているか否か）が検証される。防水ケース２が装着されている場合は、ステップＡ４にジャンプする。また、防水ケース２が装着されていない場合は、ステップＡ３に移る。
ステップＡ３では、これにより、鏡胴状態選択スイッチ１１により予め選択されていた鏡胴状態がどのようであったかが検証される。鏡胴状態選択スイッチ１１により、予め「電源ＯＦＦ時待機状態」が選択されていたならば、ステップＡ４に移り、また、鏡胴状態選択スイッチ１１により、予め「電源ＯＦＦ 時収納状態」が選択されていたならば、ステップＡ８に移る。
ステップＡ４では、鏡胴１４を作動させずに電源をＯＦＦ にする。
次に、撮影者は、電源釦１２をスイッチＯＦＦ の状態からスイッチＯＮの状態にする（ステップＡ５）。
これにより、鏡胴１４を待機状態から撮影待機状態にして停止せしめる（ステップＡ６）。
【００２５】
その後の処理は、ステップＡ７にケース分けして示すように、撮影者が電源釦操作を行う場合と、撮影者が他の操作を行う場合に分かれる。撮影者が電源釦操作を行う場合の処理は、再びステップＡ１からの処理となる。また、撮影者が他の操作、例えば上述したように撮影操作を行う場合は、その操作が終了するまで所定の動作が反復される（ステップＡ１１）。
ステップＡ８では、鏡胴１４を待機状態から収納状態にして、カメラ本体１の電源を切断する。
次に、撮影者は、電源釦１２をスイッチＯＦＦの状態からスイッチＯＮの状態にする（ステップＡ９）。
これにより、鏡胴１４を収納状態から撮影待機状態にして停止せしめる（ステップＡ１０）。
その後の処理は、ステップＡ７にケース分けして示された処理と同じである〔第３の実施形態〕。
【００２６】
図８、９、１０は、本発明の第３の実施形態に係るカメラとカメラ用防水ケースの外観構成を示す斜視図である。
これらのうち、図８は、カメラ本体１を、防水ケース３に装着した状態が見えるように防水ケース３の裏蓋を開けた状態を示し、図９は、カメラ本体１を防水ケース３に装着する前の状態を示し、図１０は、カメラ本体１を防水ケース３に装着した状態を示す。
図８、図９、図１０に示したカメラは、第２の実施形態に示すカメラと異なり、防水ケース装着検出手段が付加されていない。即ち、カメラ本体１には、第２の実施形態に示す防水ケース装着検出用釦２３が付加されていない。従って、この点を除いて、第２の実施形態に示すカメラと同じ構成であり、動作もほぼ同じである。
この第３の実施形態に係るカメラ用防水ケースは、防水ケース装着検出手段が付加されていないカメラに対応するカメラ用防水ケースであり、防水ケース３には、第２の実施形態に示すような防水ケース装着検出用凸部２１は設置されていない。
【００２７】
その代りに、防水ケース３には、図８に示すように、鏡胴状態選択スイッチ（防水ケース側）３１が設置されている。この鏡胴状態選択スイッチ（防水ケース側）３１は、防水処理されており、かつカメラ本体１側の鏡胴状態選択スイッチ１１を防水ケース３１の外部から操作することができるように対応した位置に設けられている。
即ち、第３の実施形態のカメラ本体１および防水ケース３によれば、少なくとも鏡胴状態選択スイッチ３１、電源釦３２、シャッタレリーズ釦３３により、防水ケース３の外部からカメラ本体１の鏡胴状態選択スイッチ１１、電源釦１２、シャッタレリーズ釦１５を操作することができる。
従って、防水ケース３にカメラ本体１を収容（収納）した状態においても本発明に係るカメラの特徴を充分に発揮させることができる。
【図面の簡単な説明】
【００２８】
【図１】本発明の第１の実施形態に係るカメラを背面側より見た外観構成を示す斜視図である。
【図２（ａ）】図１のカメラの沈胴時の状態を正面側より見た外観構成を示す斜視図である。
【図２（ｂ）】図１に示すカメラの鏡胴突出時の状態を正面側より見た外観構成を示す斜視図である。
【図２（ｃ）】図２（ｂ）に示すカメラの裏蓋を開いた状態を示す斜視図である。
【図３】本発明の第１の実施形態に係るカメラの動作を示すフローチャートである。
【図４】本発明の第２の実施形態に係るカメラをカメラ用防水ケースに収納した状態を、裏蓋を開けて示す斜視図である。
【図５】本発明の第２の実施形態に係るカメラとカメラ用防水ケースの外観構成を示す斜視図である。
【図６】本発明の第２の実施形態に係るカメラをカメラ用防水ケース内に収容した状態の構成を示す斜視図である。
【図７】本発明の第２の実施形態に係るカメラの動作を示すフローチャートである。
【図８】本発明の第３の実施形態に係るカメラを防水ケースに装着し、防水ケースの裏蓋を閉じる前の状態を示す斜視図である。
【図９】本発明の第３の実施形態に係るカメラを防水ケースに装着する前の状態を示す斜視図である。
【図１０】本発明の第３の実施形態に係るカメラをカメラ用防水ケースに収容した状態を示す斜視図である。
【符号の説明】
【００２９】
１  カメラ本体
２，３  防水ケース
１１  鏡胴状態選択スイッチ
１２  電源釦
１３  鏡胴収納部
１４  鏡胴
１５  シャッタレリーズ釦
２１  防水ケース装着検出用凸部
２２，３２  電源釦（防水ケース側）
２３  防水ケース装着検出釦
２４  シャッタレリーズ釦
３１  鏡胴状態選択スイッチ（防水ケース側）
３２  電源釦
３３  シャッタレリーズ
【図１】
2005091803.tif 000003
【図２（ａ）】
2005091803.tif 000004
【図２（ｂ）】
2005091803.tif 000005
【図２（ｃ）】
2005091803.tif 000006
【図３】
2005091803.tif 000007
【図４】
2005091803.tif 000008
【図５】
2005091803.tif 000009
【図６】
2005091803.tif 000010
【図７】
2005091803.tif 000011
【図８】
2005091803.tif 000012
【図９】
2005091803.tif 000013
【図１０】
2005091803.tif 000014